(57)【要約】【課題】本発明は、パチンコ操作ハンドルを持っている間、手首を支承することができるパチンコ操作ハンドル用手置き具を提供することを目的とするものである。【解決手段】本発明は、玉置き台係留部２と、この玉置き台係留部２上に立設される基台３と、この基台３に対して上下方向への高さ調整自在とした手置き支持部４と、この手置き支持部４上端に装着される手置き部５とから構成されている。【選択図】　　　図１
2004057272.tif 000002
【特許請求の範囲】
【請求項１】
玉置き台上に載置される基台と、
該基台に対して高さ調整自在とされる手置き支持部と、
該手置き支持部上に装着される手置き部とを備える
ことを特徴とするパチンコ操作ハンドル用手置き具。
【請求項２】
前記基台は、玉置き台に対して着脱自在とした
ことを特徴とする請求項１記載のパチンコ操作ハンドル用手置き具。
【請求項３】
前記基台に雌ねじ部が形成され、該雌ねじ部に対して螺合可能とされる雄ねじ部が手置き支持部に形成されることにより高さ調整自在とされることを特徴とする請求項１又は２記載のパチンコ操作ハンドル用手置き具。
【発明の詳細な説明】
【０００１】
【発明の属する技術分野】
本発明はパチンコ操作ハンドル用手置き具に関する。詳しくは長時間パチンコをしても手が疲れないようにした手置き具に係るものである。
【０００２】
【従来の技術】
従来より図４に示すようにパチンコ台１０１は、パチンコ盤１０２に各種役物１０３が設けられ、パチンコ盤１０２の下部にパチンコ玉受け皿１０４が設けられる。
そしてパチンコ玉受け皿１０４の下方右側に、パチンコ操作ハンドル１０５が設けられるものであり、このパチンコ操作ハンドル１０５によってパチンコ玉受け皿１０４より順次送られるパチンコ玉をパチンコ盤１０２へ打撃により打ち込む構成とするものである。
【０００３】
そこでパチンコ操作ハンドル１０５は、左右に廻すことによってパチンコ玉への打撃力を調整し、その状態を維持するためにパチンコ玉が終了するまでパチンコ操作ハンドル１０５を持ったまま行うものである。
また、パチンコ操作ハンドル１０５の下方位置にはテーブル状の玉置き台１０６が設置される。この玉置き台１０６は、パチンコ玉収納ケースやタバコや飲料缶を載置するのに利用される。
【０００４】
【発明が解決しようとする課題】
しかしながらパチンコ操作ハンドルを手で掴みながら長時間、その状態を維持するには非常に手や手首に負担がかかることとなり、そのためにパチンコ操作ハンドルの左右への打撃調整にズレが生じやすくなる問題がある。
【０００５】
また、パチンコ操作ハンドルを手で掴みながら、他方の手による喫煙や飲食をする都度、パチンコ操作ハンドルを操作している手が何ら支持されていないために動いたりすることが多く、元のパチンコ操作ハンドルの調整具合に戻すのが困難となる問題がある。
【０００６】
本発明は、以上の点に鑑みて創案されたものであって、パチンコ操作ハンドルを持っている間、手首を支承することができるパチンコ操作ハンドル用手置き具を提供することを目的とするものである。
【０００７】
【課題を解決するための手段】
上記の目的を達成するために、本発明に係るパチンコ操作ハンドル用手置き具は、玉置き台上に載置される基台と、該基台に対して高さ調整自在とされる手置き支持部と、該手置き支持部上に装着される手置き部とを備える。
【０００８】
ここで、玉置き台上に載置される基台より、手置き支持部の上端に装着される手置き部の高さを好みの高さに調整し、この手置き部上に手首を載せた状態でパチンコ操作ハンドルの操作を行うことにより、指のみの力の加減によるパチンコ操作ハンドル操作が可能となり、長時間のプレーでも手首に負担がかからないこととなる。
【０００９】
【発明の実施の形態】
以下、本発明の実施の形態を図面を参酌しながら説明し、本発明の理解に供する。
【００１０】
図１に、本発明を適用したパチンコ操作ハンドル用手置き具の一例を説明ずるための側面図、図２に図１における平面説明図を示す。
ここで示す手置き具１は、強化プラスチックより形成される玉置き台係留部２と、この玉置き台係留部２上に立設される基台３と、この基台３に対して上下方向への高さ調整自在とした手置き支持部４と、この手置き支持部４上端に装着される手置き部５とから構成されている。
【００１１】
ここで、玉置き台係留部２は図中想像線で示す玉置き台Ａの開放端の断面形状に合わせて折曲形成されるクリップ部６が形成されるものである。このクリップ部６は、その開口端幅が玉置き台Ａ厚さより小となるように形成されており、強化プラスチックの弾性力に抗しながら押し広げて玉置き台Ａ開放端を差し込むことにより係留できる構成とする。
【００１２】
また、基台３は玉置き台係留部２上に立設されており、円筒形状としたその内周面に雌ねじ部７が周設されている。
【００１３】
そこで基台２の雌ねじ部７に対して、螺合可能とした雄ねじ部８がその外周面に周設される手置き支持部４を螺着するものである。
従って手置き支持部４を左右方向へ回転させることで手置き支持部４が基台２より上下方向へ高さ調整が自在となるものである。
【００１４】
また、手置き部５は、手置き支持部４の上端に水平状に装着され、パチンコ操作ハンドルを操作する際に手首が載置できる広さを有する形状とされるものである。そこで手置き部５の一端側が手置き支持部４の上端に装着されることにより、手置き部５を手置き支持部４の前方位置、又は後方位置へ変換できる構成とするものである。
【００１５】
なお、手置き具は必ずしも強化プラスチックなどの合成樹脂材により形成される必要性は無く、金属製、あるいは木製などいかなるものであっても良く、更に手置き具を構成する玉置き台係留部、基台、手置き支持部および手置き部ごとに適した材質、例えば玉置き台係留部では弾性力を有する強化プラスチックのみを使用するなどの構成としても構わない。
【００１６】
また、玉置き台係留部は必ずしも玉置き台を挟持する機構とされる必要性は無く、例えば玉置き台上面に吸盤によって吸着係留させる機構や、ゴム板などにより玉置き台上面を滑らない機構とするなどいかなるものであっても良いが、玉置き台に対して容易に着脱自在とできる機構とすることが好ましい。
【００１７】
更に、手置き支持部の高さ調整機構は必ずしも雌ねじと雄ねじとの螺合による調整機構である必要性は無く、好みに応じて自在に手置き部の高さを調整することができる機構であればいかなるものであっても良い。
【００１８】
以上の構成より成る本発明では図３に示すように、パチンコプレーをする前にパチンコ操作ハンドルＢの下方位置の玉置き台Ａの開放端に、玉置き台係留部２のクリップ部６を押し広げながら差し込み手置き具１の係留を行う。
【００１９】
次に基台２に螺合される手置き支持部４を回転させることで好みに応じた高さに調整を行い、手置き支持部４上端の手置き部５上にパチンコ操作ハンドルＢを持った状態で手首Ｃを載せてパチンコプレーを行う。
【００２０】
また、プレーが終了したらホール従業員が手置き具を回収し、滅菌処理を行った後に他のプレーに使用する構成とするものである。
【００２１】
このようにして本発明ではパチンコ操作ハンドルの操作中、手首を手置き部によって支持することで、パチンコ操作ハンドルを掴んでいる指への負担が軽減され、長時間のプレーによる手のしびれやパチンコ操作ハンドルの調整誤差を最小限に押さえることが可能となる。
【００２２】
【発明の効果】
以上述べて来た如く本発明によれば、玉置き台に対してパチンコ操作ハンドル用手置き具を着脱自在な構成とすることにより、パチンコプレー者の任意により使用することができ、使用後には回収し滅菌処理を施して再使用することができ、常にプレー者に対して衛生的なパチンコ操作ハンドル用手置き具を提供することが可能となる。
【図面の簡単な説明】
【図１】本発明を適用したパチンコ操作ハンドル用手置き具の一例を示す側面説明図である。
【図２】図１における平面説明図である。
【図３】本発明の使用状態を示す説明図である。
【図４】パチンコ台の概要を示す説明図である。
【符号の説明】
１　　　手置き具
２　　　玉置き台係留部
３　　　基台
４　　　手置き支持部
５　　　手置き部
６　　　クリップ部
７　　　雌ねじ部
８　　　雄ねじ部
【図１】
2004057272.tif 000003
【図２】
2004057272.tif 000004
【図３】
2004057272.tif 000005
【図４】
2004057272.tif 000006